(57)【特許請求の範囲】
【請求項１】
記録媒体に流体を噴射可能な流体噴射手段と、該流体噴射手段を制御することにより前記記録媒体に流体を噴射させ、該記録媒体に記録情報を記録する制御手段とを備え、該制御手段は、記録媒体への記録情報の記録中において流体を廃流体として排出させるフラッシングが定期的に実行されるように前記流体噴射手段を制御する流体噴射装置において、
記録媒体への記録情報の記録中において最後に前記フラッシングが実行されてからの経過時間を計測する経過時間計測手段と、
複数部の記録媒体に同一の記録情報を連続して記録させる場合において、前記記録情報に応じたフラッシング閾値を設定する閾値設定手段と、
前記記録情報に基づく記録媒体への記録が開始される際に、該記録が縁なし記録であることを検出する縁なし検出手段と、
予め設定された規定値を縁なし記録される記録媒体のサイズ毎に記憶する規定値記憶手段とをさらに備え、
前記制御手段は、前記経過時間計測手段によって計測された経過時間が前記閾値設定手段によって設定されたフラッシング閾値以上になった場合に、前記フラッシングを実行すべく前記流体噴射手段を制御し、
前記閾値設定手段は、前記縁なし検出手段によって縁なし記録の実行が検出された場合、１部の記録媒体への前記記録情報の記録が完了して次の記録媒体への前記記録情報の記録が開始されるまでの間に前記フラッシングを実行するために、縁なし記録される記録媒体のサイズに応じた規定値を前記規定値記憶手段から読み出し、該読み出した規定値を前記フラッシング閾値に設定する流体噴射装置。
【請求項２】
１部の記録媒体への前記記録情報の記録が開始されてから完了するまでの間で前記記録媒体への前記記録情報の記録に要した記録時間を検出する記録時間検出手段と、記録媒体に記録する記録情報をスキャンして取得する取得手段と、該取得手段にて取得された記録情報を記憶する情報記憶手段とをさらに備え、前記制御手段は、１部目の記録媒体への記録時には前記取得手段にて記録情報を取得させつつ該記録情報を前記１部目の記録媒体に記録させる一方、２部目以降の記録媒体への記録時には前記情報記憶手段に記憶された記録情報を前記２部目以降の記録媒体に記録させるようになっており、
１部の記録媒体への前記記録情報の記録の完了を契機に前記記録時間検出手段によって記録時間が検出された場合、前記閾値設定手段は、次の記録媒体への前記記録情報の記録が開始されるまでの間に前記記録時間に応じたフラッシング閾値を設定すると共に、前記制御手段は、次の記録媒体への前記記録情報の記録が開始される前に前記フラッシングを実行すべく前記流体噴射手段を制御する請求項１に記載の流体噴射装置。
【請求項３】
前記制御手段は、前記記録時間検出手段による前記記録時間の検出が未完了である場合の記録媒体への前記記録情報の記録時には、前記フラッシングの実行を規制する請求項２に記載の流体噴射装置。
【請求項４】
記録媒体に流体を噴射可能な流体噴射手段を備え、該流体噴射手段から流体を前記記録媒体に噴射することにより該記録媒体に記録情報を記録する記録中において、前記流体噴射手段から流体を廃流体として排出させるフラッシングを定期的に実行させる流体噴射装置のフラッシング制御方法であって、
記録媒体への記録情報の記録中において最後に前記フラッシングが実行されてからの経過時間を計測する計測ステップと、
複数部の記録媒体に同一の記録情報を連続して記録させる場合において、前記記録情報に応じたフラッシング閾値を設定する閾値設定ステップと、
前記記録情報に基づく記録媒体への記録が開始される際に、該記録が縁なし記録であることを検出する縁なし検出ステップと、
予め設定された規定値を縁なし記録される記録媒体のサイズ毎に記憶部に記憶する規定値記憶ステップと、
前記計測ステップにて計測された経過時間が前記閾値設定ステップにて設定されたフラッシング閾値以上になった場合に、前記フラッシングを実行するフラッシングステップとを有し、
前記閾値設定ステップは、前記縁なし検出ステップによって縁なし記録の実行が検出された場合、１部の記録媒体への前記記録情報の記録が完了して次の記録媒体への前記記録情報の記録が開始されるまでの間に前記フラッシングを実行するために、縁なし記録される記録媒体のサイズに応じた規定値を前記記憶から読み出し、該読み出した規定値を前記フラッシング閾値に設定する流体噴射装置のフラッシング制御方法。
【発明の詳細な説明】
【技術分野】
【０００１】
本発明は、インクなどの流体を噴射する流体噴射装置、及び該流体噴射装置のフラッシ
ング制御方法に関する。
【背景技術】
【０００２】
一般に、記録ヘッド（流体噴射ヘッド）のノズルから記録用紙（記録媒体）に対してイ
ンク（流体）を噴射する流体噴射装置として、プリンタ機能の他にスキャナ機能を備えた
複合機タイプのインクジェット式記録装置（以下、単に「記録装置」という。）が広く知
られている。こうした記録装置では、スキャナで原稿を読み取った場合、記録用紙に対し
て記録ヘッドからインクを噴射することにより該原稿のコピー記録が実行されるようにな
っている。また、このような記録装置では、記録媒体への記録中においてノズル内のメニ
スカスを整えることなどを目的に、記録ヘッドを非印刷領域へ移動してノズルからインク
を廃インクとして吐出させるフラッシングが定期的に実行されるようになっている。
【０００３】
すなわち、記録装置内には、記録ヘッドを搭載したキャリッジの移動方向（主走査方向
）の両端側にフラッシング領域がそれぞれ設けられている。そして、記録装置の制御装置
は、記録媒体への記録中において最後にフラッシングが実行されてからの経過時間がフラ
ッシング閾値を超えた場合に、記録ヘッドを各非印刷領域のうち何れか一方に移動させて
フラッシングを実行させていた（例えば特許文献１参照）。
【特許文献１】特開２０００−１５８６７３号公報
【発明の開示】
【発明が解決しようとする課題】
【０００４】
ところで、上述した複合機タイプの記録装置では、スキャナで読み取った原稿のコピー
記録（以下、単に「記録」という。）を複数枚連続して実行することがある。このような
記録中においても、記録装置内では上記経過時間がフラッシング閾値を超えたことを契機
にフラッシングが実行される。しかしながら、１枚の記録用紙への記録中にフラッシング
が実行された場合には、該記録用紙上において、フラッシング前までにインクが噴射され
た部分とフラッシング後にインクが噴射された部分とでは、フラッシングの実行に基づい
て時間が経過したことに起因してインクの乾き具合が変わってしまう。その結果、記録装
置から排出された記録済みの記録用紙上では、該記録用紙上のインクの色目に変化が表れ
てしまい、このようなインクの色目の変化を解消させる点で改善の余地があった。
【０００５】
本発明は、このような事情に鑑みてなされたものであり、その目的は、流体を噴射する
ことにより記録された１部の記録媒体上における流体の色目の変化を抑制できる流体噴射
装置、及び流体噴射装置のフラッシング制御方法を提供することにある。
【課題を解決するための手段】
【０００６】
上記目的を達成するために、本発明の流体噴射装置は、記録媒体に流体を噴射可能な流
体噴射手段と、該流体噴射手段を制御することにより前記記録媒体に流体を噴射させ、該
記録媒体に記録情報を記録する制御手段とを備え、該制御手段は、記録媒体への記録情報
の記録中において流体を廃流体として排出させるフラッシングが定期的に実行されるよう
に前記流体噴射手段を制御する流体噴射装置において、記録媒体への記録情報の記録中に
おいて最後に前記フラッシングが実行されてからの経過時間を計測する経過時間計測手段
と、複数部の記録媒体に同一の記録情報を連続して記録させる場合において、１部の記録
媒体への前記記録情報の記録が完了して次の記録媒体への前記記録情報の記録が開始され
るまでの間に前記フラッシングが実行されるように、前記記録情報に応じたフラッシング
閾値を設定する閾値設定手段とをさらに備え、前記制御手段は、前記経過時間計測手段に
よって計測された経過時間が前記閾値設定手段によって設定されたフラッシング閾値以上
になった場合に、前記フラッシングを実行すべく前記流体噴射手段を制御する。
【０００７】
この発明によれば、同一の記録情報を記録媒体に連続して記録する場合において、フラ
ッシング閾値は、１部の記録媒体への記録情報の記録が完了して次の記録媒体への記録情
報の記録が開始されるまでの間にフラッシングが実行されるように設定される。そのため
、１部の記録媒体への記録中にフラッシングが実行されることが抑制される。したがって
、流体を噴射することにより記録された１部の記録媒体上における流体の色目の変化を抑
制できる。
【発明を実施するための最良の形態】
【０００８】
（第１の実施形態）
以下、本発明の流体噴射装置、及び流体噴射装置のフラッシング制御方法を具体化した
第１の実施形態を図１〜図１０に基づいて説明する。なお、以下における本明細書中の説
明において、「前後方向」、「左右方向」、「上下方向」をいう場合は図１及び図２に矢
印で示す前後方向（副走査方向）、左右方向（主走査方向）、上下方向をそれぞれ示すも
のとする。
【０００９】
図１に示すように、流体噴射装置としてのインクジェット式記録装置（以下、単に「記
録装置」と略記する。）１１は、プリンタ機能の他にスキャナ機能を備えた複合機タイプ
の記録装置であって、本体１２と開閉可能なカバー１３とを備えている。本体１２の下側
部分にはプリンタ部１４が構成されると共に、本体１２の上側部分には取得手段としての
スキャナ部１５が構成されている。そして、本体１２の上面には、四角板状の透明ガラス
が組み込まれた原稿台１５ａが設けられており、該原稿台１５ａは、カバー１３によって
覆われるようになっている。
【００１０】
本体１２の後面部には、記録媒体としての記録用紙Ｐ（図２参照）がセットされるサポ
ート１６ａを有する自動給紙機構１６が設けられている。また、本体１２の前側において
、その上段部には操作パネル１７が設けられると共に、その下段部には排紙部１８が設け
られ、さらに、中段部右寄り位置にはメモリカード１９を挿抜可能なメモリカードスロッ
ト（以下、単に「スロット」という。）２０が設けられている。操作パネル１７には、原
稿台１５ａ上にセットされた被スキャン体としての原稿２１をスキャンすることにより取
得した記録情報を記録用紙Ｐに記録（即ち、コピー記録）させるため、メモリカード１９
に記憶されている記録情報を記録用紙Ｐに記録させるためなどに操作される各種ボタンが
設けられている。
【００１１】
次に、プリンタ部１４について図２に基づき以下説明する。なお、図２は、記録装置１
１の外装ケースが取り外された状態で図示されている。
図２に示すように、プリンタ部１４は、略矩形箱状をなすフレーム１４ａを備えている
。フレーム１４ａ内の下部には、その長手方向である左右方向に沿ってプラテン３０が設
けられている。プラテン３０上には、フレーム１４ａの後面下部に設けられた紙送りモー
タ（以下、「ＰＦモータ」という。）３１の駆動に基づき自動給紙機構１６により記録用
紙Ｐが後方側から給紙（給送）されるようになっている。そして、自動給紙機構１６によ
ってプラテン３０上に給紙された記録用紙Ｐは、搬送機構３２（図３参照）の駆動によっ
て前方に搬送され、その後、排紙機構３３（図３参照）によってプリンタ部１４外の排紙
部１８上に排紙されるようになっている。なお、搬送機構３２及び排紙機構３３は、図３
に示すように、ＰＦモータ３１から駆動力が伝達されることによりそれぞれ駆動する構成
とされている。
【００１２】
また、図２に示すように、プラテン３０の上方には、該プラテン３０の長手方向に沿っ
てガイド軸３４が架設されている。このガイド軸３４には、キャリッジ３５が、該ガイド
軸３４の軸線方向（左右方向）に沿って往復移動可能に支持されている。フレーム１４ａ
の後壁内面においてガイド軸３４の両端部と対応する位置には、駆動プーリ３５ａ及び従
動プーリ３５ｂが回転自在に支持されている。駆動プーリ３５ａにはキャリッジ３５を往
復移動させる際の駆動源となるキャリッジモータ（以下、「ＣＲモータ」という。）３６
の出力軸が連結されると共に、これら一対のプーリ３５ａ，３５ｂ間には、キャリッジ３
５に連結された無端状のタイミングベルト３７が掛装されている。したがって、キャリッ
ジ３５は、ガイド軸３４にガイドされながら、ＣＲモータ３６の駆動力により無端状のタ
イミングベルト３７を介して左右方向に移動可能となっている。
【００１３】
キャリッジ３５の左右方向への移動可能範囲において記録用紙Ｐへの記録可能領域より
も左方側となる位置には、クラッチ機構３８が設けられている。このクラッチ機構３８は
、ＰＦモータ３１の駆動力を自動給紙機構１６に伝達可能な接続状態と伝達不能な切断状
態とを切替え可能な構成とされている。すなわち、クラッチ機構３８は、キャリッジ３５
によってクラッチ機構３８のトリガレバー３８ａが左方に押された場合には、ＰＦモータ
３１の駆動力が自動給紙機構１６に伝達されるように駆動するようになっている。
【００１４】
この状態でＰＦモータ３１が正転方向に回転した場合には、自動給紙機構１６の図示し
ない給紙ローラが回転して記録用紙Ｐが給紙されるようになっている。そして、給紙ロー
ラが約１回転した場合には、図示しない復帰バネの付勢力によりクラッチ機構３８が切断
状態に切り換わるようになっている。
【００１５】
また、フレーム１４ａ内には、左右方向に延びるリニアエンコーダ３９がガイド軸３４
に沿うように設けられている。このリニアエンコーダ３９からは、キャリッジ３５の移動
距離に比例する数のパルス信号が制御装置６０（図３参照）に出力される。そして、制御
装置６０は、リニアエンコーダ３９からのパルス信号に基づきキャリッジ３５の移動位置
、移動速度及び移動方向を検出すると共に、該検出結果に基づきキャリッジ３５の速度制
御及び位置制御を実行するようになっている。
【００１６】
キャリッジ３５には、流体噴射ヘッドとしての記録ヘッド４０が設けられると共に、記
録ヘッド４０へ供給する流体としてのインクを貯留するインクカートリッジ４１が着脱可
能に搭載されている。そして、このインクカートリッジ４１内に収容されたインクが記録
ヘッド４０内に設けられた図示しない圧電素子の駆動により記録ヘッド４０のノズル４０
ａ（図３参照）に供給され、該ノズル４０ａからインクが噴射されるようになっている。
したがって、本実施形態では、キャリッジ３５及び記録ヘッド４０により、記録用紙Ｐに
インク（流体）を噴射可能な流体噴射手段が構成されている。
【００１７】
また、フレーム１４ａ内の右端部、すなわち、記録用紙Ｐが至らない非印刷領域には、
記録ヘッド４０をメンテナンスする場合にキャリッジ３５を位置させるためのホームポジ
ションが設定されている。そして、このホームポジションに配置された状態のキャリッジ
３５の下方には、記録ヘッド４０からの記録用紙Ｐに対するインク噴射が良好に維持され
るように、各種のメンテナンス動作を行うメンテナンスユニット４２が設けられている。
このメンテナンスユニット４２には、ホームポジションに移動してきた記録ヘッド４０か
ら廃インク（廃流体）として排出されたインク（即ち、フラッシングにより排出されたイ
ンク）を受容するためのキャップ４３が設けられている。
【００１８】
また、フレーム１４ａ内の左端側において記録用紙Ｐが至らない非印刷領域には、該非
印刷領域まで移動してきた記録ヘッド４０のフラッシングにより該記録ヘッド４０から廃
インクとして排出されたインクを受容するためのフラッシング用キャップ４４が設けられ
ている。
【００１９】
次に、スキャナ部１５について図１及び図３に基づき以下説明する。
図１及び図３に示すように、スキャナ部１５は、原稿台１５ａ上にセットされた原稿２
１に光を照射するランプ５０及び原稿２１の画像を記録情報（画像データ）として取得す
るＣＣＤ（電荷結合素子）５１を有する走査ユニット５２と、該走査ユニット５２を走査
（移動）させるための駆動機構５３とを備えている。原稿台１５ａ上にセットされた原稿
２１から記録情報を取得するためのスキャン動作を行う際には、走査ユニット５２のラン
プ５０から原稿台１５ａを通して原稿２１に光が照射され、該原稿２１による反射光をＣ
ＣＤ５１にて検出することで原稿２１の画像が記録情報として取得される。そして、この
ように取得した原稿２１の画像に基づく記録情報は、制御装置６０に転送される。
【００２０】
次に、本実施形態の記録装置１１の制御装置６０について図３に基づき以下説明する。
図３に示すように、記録装置１１は、装置全体を統括制御する制御装置６０（図３にて
破線で囲まれた部分）を備えている。制御装置６０の入力側インターフェース（図示略）
には、操作パネル１７、リニアエンコーダ３９、ＰＦモータ３１の回転を検出するための
ロータリエンコーダ６１及びスロット２０内に挿入されたメモリカード１９などが電気的
に接続されている。また、制御装置６０の出力側インターフェース（図示略）には、記録
ヘッド４０、ＣＲモータ３６、ＰＦモータ３１及びスキャナ部１５などが電気的に接続さ
れており、制御装置６０は、記録ヘッド４０、ＣＲモータ３６、ＰＦモータ３１及びスキ
ャナ部１５の駆動を個別に制御するようになっている。
【００２１】
制御装置６０は、記録ヘッド４０の駆動を制御するためのヘッドドライバ６２、ＣＲモ
ータ３６の駆動を制御するためのＣＲモータ用ドライバ６３、及びＰＦモータ３１の駆動
を制御するためのＰＦモータ用ドライバ６４を備えている。また、制御装置６０は、スキ
ャナ部１５の駆動を制御するためのスキャナ用ドライバ６５、スロット２０内に挿入され
たメモリカード１９に記憶されている記録情報（記録データ）を取得するためのメモリカ
ード入出力回路６６、及びマイクロコンピュータなどから構成される制御回路７０（図３
にて一点鎖線で囲まれた部分）を備えている。
【００２２】
制御回路７０は、ＣＰＵ、ＲＯＭ、ＲＡＭ、ＡＳＩＣ（Application Specific Integra
ted Circuit）及び不揮発性メモリ（例えばＥＥＰＲＯＭ）などを備えた構成とされてい
る。そして、制御回路７０は、ハードウェア及びソフトウェアのうち少なくとも一方によ
りそれぞれ実現される機能部分として、制御部７１、ヘッド用制御部７２、ＣＲ用制御部
７３、ＣＲ用タイマ７４、ＰＦ用制御部７５、ＰＦ用タイマ７６、フラッシング用タイマ
７７及びフラッシング用メモリ７８を備えている。また、制御回路７０は、スキャナ用制
御部７９、スキャナ用メモリ８０、メモリカード用制御部８１及びメモリカード用メモリ
８２を備えている。
【００２３】
制御部７１は、ホストコンピュータ９０からインターフェース９１を介して記録情報（
記録データ）を受信した場合、該記録情報に各種変換処理（解像度変換処理、色変換処理
及びハーフトーン処理等）を施してラスタデータと制御コマンドとを生成する。そして、
制御部７１は、ラスタデータをヘッド用制御部７２に転送すると共に、ＣＲモータ３６や
ＰＦモータ３１を駆動させるための制御コマンドをＣＲ用制御部７３やＰＦ用制御部７５
にそれぞれ出力する。また、制御部７１は、スキャナ部１５による原稿２１のスキャンに
よって記録情報を取得したり、メモリカード１９から記録情報を取得したりした場合につ
いても、取得した記録情報に各種変換処理を施してラスタデータと制御コマンドとを生成
する。そして、制御部７１は、ラスタデータをヘッド用制御部７２に転送すると共に、Ｃ
Ｒモータ３６やＰＦモータ３１を駆動させるための制御コマンドをＣＲ用制御部７３やＰ
Ｆ用制御部７５にそれぞれ出力する。したがって、本実施形態では、制御部７１が、制御
手段として機能する。
【００２４】
ヘッド用制御部７２は、制御部７１から転送されたラスタデータをヘッドドライバ６２
へ出力する。そして、ヘッド用制御部７２は、ヘッドドライバ６２を介してラスタデータ
に基づき記録ヘッド４０（具体的には、記録ヘッド４０に内蔵された圧電素子）の駆動を
制御して各ノズル４０ａ（図３では２つのみ図示）からインクを各別に噴射させる。
【００２５】
ＣＲ用制御部７３は、ＣＲモータ用ドライバ６３を介して制御部７１からの制御コマン
ドに基づきＣＲモータ３６の回転方向、回転量、回転速度（即ち、キャリッジ３５の移動
方向、移動量、駆動速度）などを制御する。ＰＦ用制御部７５は、例えばＰＦモータ３１
の出力軸に設けられたロータリエンコーダ６１からの入力パルスに基づきＰＦモータ３１
の回転方向、回転量、回転速度を検出する。そして、ＰＦ用制御部７５は、ＰＦモータ用
ドライバ６４を介して制御部７１からの制御コマンドに基づきＰＦモータ３１の回転方向
、回転量、回転速度などを制御する。
【００２６】
スキャナ用制御部７９は、スキャナ用ドライバ６５を介して原稿台１５ａ上にセットさ
れた原稿２１をスキャンするためにスキャナ部１５の駆動を制御する。そして、スキャナ
用制御部７９は、スキャナ部１５が原稿２１をスキャンすることにより取得した記録情報
をスキャナ用メモリ８０に記憶させ、該スキャナ用メモリ８０に記憶した記録情報を制御
部７１に転送する。したがって、本実施形態では、スキャナ用メモリ８０が、情報記憶手
段として機能する。また、メモリカード用制御部８１は、メモリカード入出力回路６６を
介してスロット２０内に挿入されたメモリカード１９から記録情報を取得した該記録情報
をメモリカード用メモリ８２に記憶させ、該メモリカード用メモリ８２に記憶した記録情
報を制御部７１に転送する。
【００２７】
各タイマ７４，７６，７７は、クロック回路からのクロック信号等に基づき計数処理を
行うカウンタ、又はタイマ処理用のプログラムを実行するＣＰＵによりそれぞれ構成され
ている。フラッシング用メモリ７８には、スキャナ部１５の駆動によって取得した同一の
記録情報を記録用紙Ｐに連続して記録させる際に定期的にフラッシングを実行させるため
のフラッシング閾値ＫＴｆ（図５参照）が記憶される。また、フラッシング用メモリ７８
には、図４に示すテーブルが記憶されている。
【００２８】
次に、図４に示すテーブルについて以下説明する。
図４に示すテーブルは、スキャナ部１５による原稿２１のスキャンにより取得した記録
情報に基づく記録用紙Ｐへの記録が記録用紙Ｐ全体に余白なくインクを噴射する縁なし記
録（「縁なし印刷」ともいう。）である場合において、その縁なし記録中に実行される定
期的なフラッシングの実行間隔を設定するためのテーブルである。このテーブルには、記
録用紙Ｐのサイズと該サイズに応じた規定値との関係が示されている。具体的には、記録
用紙Ｐのサイズが「Ａ１」である場合の規定値は、第１規定値ＫＴＡ１であると共に、記
録用紙Ｐのサイズが「Ａ１」よりも小さい「Ａ２」である場合の規定値は、第１規定値Ｋ
ＴＡ１よりも小さい第２規定値ＫＴＡ２である。また、記録用紙Ｐのサイズが「Ａ２」よ
りも小さい「Ａ３」である場合の規定値は、第２規定値ＫＴＡ２よりも小さい第３規定値
ＫＴＡ３であると共に、記録用紙Ｐのサイズが「Ａ３」よりも小さい「Ａ４」である場合
の規定値は、第３規定値ＫＴＡ３よりも小さい第４規定値ＫＴＡ４である。さらに、記録
用紙Ｐのサイズが「Ａ５」よりも小さいはがきサイズである場合の規定値は、第４規定値
ＫＴＡ４よりも小さい第５規定値ＫＴＰＣである。したがって、本実施形態では、フラッ
シング用メモリ７８が、規定値記憶手段としても機能する。
【００２９】
次に、本実施形態の制御回路７０（制御部７１）が実行する各制御処理ルーチンのうち
、スキャナ部１５による原稿２１のスキャンにより取得した記録情報を記録用紙Ｐにコピ
ー記録（以下、単に「記録」という。）させる際に実行されるスキャン簡易記録処理ルー
チンについて図５〜図９に示すフローチャートに基づき以下説明する。このスキャン簡易
記録処理ルーチンは、スキャナ部１５による原稿２１のスキャンによって取得した記録情
報を記録用紙Ｐに記録させるべく操作パネル１７が操作された場合、又は、スキャナ部１
５による原稿２１のスキャンにて取得した記録情報を記録用紙Ｐに記録させる旨の情報を
ホストコンピュータ９０から受信した場合であって、記録用紙Ｐに対して記録情報を簡易
記録するときに実行されるルーチンである。なお、簡易記録とは、記録結果の品質よりも
記録速度を重視した記録方式である。その一方で、記録速度よりも記録結果の品質を重視
した記録方式の記録を実行する場合には、スキャン簡易記録処理ルーチンとは異なる他の
記録処理ルーチンが実行される。
【００３０】
さて、スキャン簡易記録処理ルーチンにおいて、制御部７１は、スキャナ部１５による
原稿２１のスキャンによって取得した記録情報を複数枚の記録用紙Ｐに対して連続して実
行する旨の制御情報が入力されているか否かを判定する（ステップＳ１０）。この判定結
果が肯定判定である場合、制御部７１は、同一の記録情報を複数枚の記録用紙Ｐに連続し
て記録すると判断し、記録用紙Ｐに対して縁なし記録を実行する旨の制御情報が入力され
ているか否かを判定する（ステップＳ１１）。この点で、本実施形態では、制御部７１が
、縁なし検出手段としても機能する。ステップＳ１１の判定結果が否定判定である場合、
制御部７１は、今回の複数枚の記録用紙Ｐへの連続記録が縁なし記録ではないと判断して
閾値設定フラグＦＬＧｆを「０（零）」にセットし（ステップＳ１２）、その処理を後述
するステップＳ１７に移行する。なお、閾値設定フラグＦＬＧｆは、今回の記録用紙Ｐへ
の記録時においてフラッシング閾値ＫＴｆが設定済みである場合には「１」にセットされ
る一方、フラッシング閾値ＫＴｆが未設定である場合には「０（零）」にセットされるフ
ラグである。
【００３１】
一方、ステップＳ１１の判定結果が肯定判定である場合、制御部７１は、ユーザによる
操作パネル１７の操作又はホストコンピュータ９０の操作により入力された記録用紙Ｐの
サイズに関するサイズ情報に基づき、プリンタ部１４での記録に使用される記録用紙Ｐの
サイズを確認する（ステップＳ１３）。続いて、制御部７１は、図４に示すテーブルから
記録用紙Ｐのサイズ（例えば「Ａ４」）に応じた規定値（例えば第４規定値ＫＴＡ４）を
読み出し、該規定値をフラッシング閾値ＫＴｆに設定する（ステップＳ１４）。そして、
制御部７１は、フラッシング閾値ＫＴｆを「１」にセットすると共に、制御コマンドをフ
ラッシング用タイマ７７に出力して該フラッシング用タイマ７７に経過時間Ｔｆの計測を
開始させる（ステップＳ１５）。この経過時間Ｔｆは、最後にフラッシングが実行されて
からの経過時間のことである。この点で、本実施形態では、フラッシング用タイマ７７が
、経過時間計測手段として機能する。また、ステップＳ１５が、計測ステップに相当する
。その後、制御部７１は、その処理を後述するステップＳ１７に移行する。
【００３２】
一方、ステップＳ１０の判定結果が否定判定である場合、制御部７１は、フラッシング
閾値ＫＴｆに予め設定された所定値ＫＴｓ（例えば「７０」秒）を設定する（ステップＳ
１６）。この所定値ＫＴｓは、記録用紙Ｐへの記録時においてフラッシングの未実行によ
って記録ヘッド４０によるインクの噴射不良が発生しない最長の間隔であって、実験やシ
ミュレーションなどによって予め設定される。そして、制御部７１は、ステップＳ１５の
処理を実行した後、その処理を次のステップＳ１７に移行する。
【００３３】
ステップＳ１７において、制御部７１からの制御コマンドに基づきＣＲ用制御部７３は
、ＣＲモータ３６の回転を制御することによりキャリッジ３５の左方への移動を開始させ
る。そして、制御部７１は、リニアエンコーダ３９からの入力信号に基づきキャリッジ３
５の移動位置を検出することにより、キャリッジ３５がクラッチ機構３８のトリガレバー
３８ａを左方に押し込むことが可能なトリガ位置に移動したか否かを判定する（ステップ
Ｓ１８）。この判定結果が否定判定である場合、制御部７１は、ステップＳ１８の判定結
果が肯定判定になるまで該ステップＳ１８の判定処理を繰り返し実行する。
【００３４】
一方、ステップＳ１８の判定結果が肯定判定である場合、制御部７１からの制御コマン
ドに基づきＣＲ用タイマ７４は、記録時間Ｔｗの計測を開始する（ステップＳ１９）。続
いて、制御部７１からの制御コマンドに基づきＰＦ用制御部７５は、ＰＦモータ３１の回
転を制御することにより自動給紙機構１６による記録用紙Ｐの給紙処理を開始させる（ス
テップＳ２０）。そして、この給紙処理が完了した場合、制御部７１は、その処理を次の
ステップＳ２１に移行する。
【００３５】
ステップＳ２１において、記録処理が実行される。すなわち、１ページ目の記録用紙Ｐ
への記録の場合、制御部７１からの制御コマンドに基づきスキャナ用制御部７９は、原稿
台１５ａ上にセットされた原稿２１をスキャナ部１５にスキャンさせることにより該原稿
２１から記録情報を取得し、該記録情報をスキャナ用メモリ８０に随時記憶させる。この
際、制御部７１は、スキャナ用メモリ８０に記憶されている記録情報に各種変換処理を施
し、該記録情報に基づくラスタデータと制御コマンドとを生成する。そして、制御部７１
は、所定数のパス（例えば２パス）分のラスタデータの生成が完了した場合、該ラスタデ
ータをヘッド用制御部７２に転送すると共に、ＣＲモータ３６及びＰＦモータ３１を各別
に回転させるための制御コマンドをＣＲ用制御部７３及びＰＦ用制御部７５にそれぞれ出
力する。その結果、ヘッド用制御部７２の制御により記録ヘッド４０が記録用紙Ｐにイン
クを噴射する結果、記録用紙Ｐへの記録情報の記録が実行される。その後、制御部７１に
よる記録情報の各種変換処理によって次の所定数のパス（２パス）分のラスタデータが生
成された場合、ヘッド用制御部７２は、該ラスタデータに基づいた記録用紙Ｐへの記録を
実行する。なお、上述した「パス」とは、キャリッジ３５が左右方向へ一回移動すること
であって、「２パス」は、２回分のキャリッジ３５の左右方向への移動のことを示してい
る。
【００３６】
その一方で、２ページ目以降の記録用紙Ｐへの記録の場合には、原稿台１５ａ上にセッ
トされた原稿２１に基づく記録情報のラスタデータは、既に生成されている。そのため、
制御部７１は、既に生成されているラスタデータ及び各モータ３６，３１に対する制御コ
マンドに基づいてヘッド用制御部７２に記録ヘッド４０の駆動を制御させると共にＣＲ用
制御部７３及びＰＦ用制御部７５にＣＲモータ３６及びＰＦモータ３１の駆動を各別に制
御させることにより、記録用紙Ｐに記録情報を記録させる。したがって、２ページ目以降
の記録用紙Ｐへの記録情報の記録が開始されてから完了するまでの総時間は、記録情報に
各種変換処理を施す必要がない分だけ、１ページ目の記録用紙Ｐへの記録情報の記録が開
始されてから完了するまでの総時間よりも早くなる。
【００３７】
続いて、制御部７１は、閾値設定フラグＦＬＧｆが「０（零）」に設定されているか否
かを判定する（ステップＳ２２）。この判定結果が肯定判定（ＦＬＧｆ＝「０」）である
場合、制御部７１は、図８にて詳述する記録時間計測処理を実行することにより１ページ
の記録用紙Ｐへの記録に要する記録時間Ｔｗ（即ち、１ページ目の記録用紙Ｐへの記録情
報の記録が開始されてから完了するまでの総時間から原稿２１のスキャンや該スキャンに
よって取得した記録情報に各種演算処理を施すことにより余分にかかった時間を除いた時
間）を計測し（ステップＳ２３）、その処理を後述するステップＳ２４に移行する。一方
、ステップＳ２２の判定結果が否定判定（ＦＬＧｆ＝「１」）である場合、制御部７１は
、フラッシング閾値ＫＴｆが設定済みであるためにステップＳ２３を実行することなく、
その処理を次のステップＳ２４に移行する。
【００３８】
ステップＳ２４において、制御部７１は、１ページの記録用紙Ｐへの記録が完了したか
否かを判定する。この判定結果が否定判定である場合、制御部７１は、その処理を前述し
たステップＳ２１に移行する。一方、ステップＳ２４の判定結果が肯定判定である場合、
制御部７１は、排紙処理を実行させるための制御コマンド（排紙コマンド）をＰＦ用制御
部７５に出力する。その結果、ＰＦ用制御部７５は、ＰＦモータ３１の回転を制御するこ
とにより排紙機構３３を駆動させて記録済みとなった記録用紙Ｐを排紙部１８に排紙する
（ステップＳ２５）。
【００３９】
続いて、制御部７１は、閾値設定フラグＦＬＧｆが「０（零）」に設定されているか否
かを判定する（ステップＳ２６）。この判定結果が肯定判定（ＦＬＧｆ＝「０」）である
場合、制御部７１は、制御コマンドをＰＦ用タイマ７６に出力することによりＰＦ用タイ
マ７６にブランク時間Ｔｂの計測を開始させ（ステップＳ２７）、その処理を後述するス
テップＳ２９に移行する。一方、ステップＳ２６の判定結果が否定判定（ＦＬＧｆ＝「１
」）である場合、制御部７１は、フラッシング用タイマ７７にて計測している経過時間Ｔ
ｆがフラッシング閾値ＫＴｆ以上であるか否かを判定する（ステップＳ２８）。この判定
結果が否定判定（Ｔｆ＜ＫＴｆ）である場合、制御部７１は、その処理を後述するステッ
プＳ３１に移行する。一方、ステップＳ２８の判定結果が肯定判定（Ｔｆ≧ＫＴｆ）であ
る場合、制御部７１は、その処理を次のステップＳ２９に移行する。
【００４０】
ステップＳ２９において、フラッシングが実行される。すなわち、制御部７１からの制
御コマンドに基づきＣＲ用制御部７３は、リニアエンコーダ３９からの入力信号に基づき
キャリッジ３５が各キャップ４３，４４のうち何れに近いかを判別し、ＣＲモータ３６の
回転を制御することにより近い方のキャップ（例えばフラッシング用キャップ４４）に向
けてキャリッジ３５を移動させる。そして、ＣＲ用制御部７３は、リニアエンコーダ３９
からの入力信号に基づきキャリッジ３５（記録ヘッド４０）がキャップの直上位置に位置
すると判断した場合、ＣＲモータ３６の回転を停止してキャリッジ３５の移動を停止させ
る。続いて、制御部７１からの制御コマンドに基づきヘッド用制御部７２は、記録ヘッド
４０の全てのノズル４０ａからインクを廃インクとしてキャップに向けて排出させる。こ
の点で、本実施形態では、ステップＳ２９が、フラッシングステップに相当する。その後
、制御部７１からの制御コマンドに基づきフラッシング用タイマ７７は、経過時間Ｔｆを
「０（零）」にリセットして経過時間Ｔｆの計測を再び開始し（ステップＳ３０）、その
処理を次のステップＳ３１に移行する。
【００４１】
ステップＳ３１において、制御部７１は、記録すべき全ページの記録用紙Ｐへの記録情
報の記録が完了したか否かを判定する。この判定結果が否定判定である場合、制御部７１
は記録情報を記録すべき記録用紙Ｐが未だあると判断し、上述したステップＳ１７，Ｓ１
８に相当するステップＳ３２，Ｓ３３が順次実行される。続いて、制御部７１は、閾値設
定フラグＦＬＧｆが「０（零）」にセットされているか否かを判定する（ステップＳ３４
）。この判定結果が否定判定（ＦＬＧｆ＝「１」）である場合、制御部７１は、その処理
を前述したステップＳ２０に移行する。
【００４２】
一方、ステップＳ３４の判定結果が肯定判定（ＦＬＧｆ＝「０」）である場合、制御部
７１からの制御コマンドに基づきＰＦ用タイマ７６は、ブランク時間Ｔｂの計測を停止す
る（ステップＳ３５）。続いて、制御部７１は、図９にて詳述する閾値設定処理を実行す
ることにより、フラッシング閾値ＫＴｆを設定する（ステップＳ３６）。この点で、本実
施形態では、制御部７１が、閾値設定手段として機能する。また、ステップＳ３６が、閾
値設定ステップに相当する。続いて、制御部７１は、閾値設定フラグＦＬＧｆを「１」に
セットし（ステップＳ３７）、制御コマンドをフラッシング用タイマ７７に出力して該フ
ラッシング用タイマ７７に経過時間Ｔｆの計測を開始させる（ステップＳ３８）。その後
、制御部７１は、その処理を前述したステップＳ２０に移行する。
【００４３】
その一方で、ステップＳ３１の判定結果が肯定判定である場合、制御部７１は、全ての
タイマ７４，７６，７７に制御コマンドを出力して各タイマ７４，７６，７７による時間
の計測をそれぞれ停止させ（ステップＳ３９）、スキャン簡易記録処理ルーチンを終了す
る。
【００４４】
次に、上記ステップＳ２３の記録時間計測処理（記録時間計測処理ルーチン）について
図８に基づき以下説明する。
さて、記録時間計測処理ルーチンにおいて、制御部７１は、ＣＲモータ３６が回転中で
あるか否かを判定する（ステップＳ５０）。この判定結果が否定判定である場合、制御部
７１は、所定数のパス分のラスタデータの生成が完了していないためにキャリッジ３５が
停止していると判断する。そして、制御部７１は、ＣＲ用タイマ７４に制御コマンドを出
力して該ＣＲ用タイマ７４に記録時間Ｔｗの計測を一時停止させ（ステップＳ５１）、記
録時間計測処理ルーチンを終了する。
【００４５】
一方、ステップＳ５０の判定結果が肯定判定である場合、制御部７１は、記録用紙Ｐに
記録情報を記録させるべく（即ち、記録用紙Ｐにインクを噴射させるべく）キャリッジ３
５が移動中であると判断する。そして、制御部７１は、ＣＲ用タイマ７４に制御コマンド
を出力して該ＣＲ用タイマ７４に記録時間Ｔｗの計測を再開させ（ステップＳ５２）、記
録時間計測処理ルーチンを終了する。すなわち、１ページ目の記録用紙Ｐへの記録情報の
記録中においてキャリッジ３５が移動している間の時間（記録時間Ｔｗ）が計測される。
したがって、本実施形態では、ＣＲ用タイマ７４が、１ページ（１部）の記録用紙Ｐへの
記録情報の記録が開始されてから完了するまでの間において、記録用紙Ｐへの記録情報の
記録に要した記録時間Ｔｗを検出する記録時間検出手段として機能する。
【００４６】
次に、上記ステップＳ３６の閾値設定処理（閾値設定処理ルーチン）について図９に基
づき以下説明する。
さて、閾値設定処理ルーチンにおいて、制御部７１は、設定値ｎに「１」を代入する（
ステップＳ６０）。この設定値ｎは、フラッシングが実行されてから次にフラッシングが
実行されるまでの間に記録情報が記録される記録用紙Ｐのページ数を設定するための値で
ある。続いて、制御部７１は、既に取得している記録時間Ｔｗ、ブランク時間Ｔｂ及び設
定値ｎに基づきフラッシング閾値ＫＴｆを演算する（ステップＳ６１）。そして、制御部
７１は、ステップＳ６１にて演算したフラッシング閾値ＫＴｆが所定値ＫＴｓ未満である
か否かを判定する（ステップＳ６２）。この判定結果が肯定判定（ＫＴｆ＜ＫＴｓ）であ
る場合、制御部７１は、設定値ｎを「１」だけインクリメントし（ステップＳ６３）、そ
の処理を前述したステップＳ６１に移行する。
【００４７】
一方、ステップＳ６２の判定結果が否定判定（ＫＴｆ≧ＫＴｓ）である場合、制御部７
１は、フラッシング閾値ＫＴｆが所定値ＫＴｓに等しいか否かを判定する（ステップＳ６
４）。この判定結果が肯定判定（ＫＴｆ＝ＫＴｓ）である場合、制御部７１は、閾値設定
処理ルーチンを終了する。一方、ステップＳ６４の判定結果が否定判定（ＫＴｆ＞ＫＴｓ
）である場合、制御部７１は、設定値ｎを「１」だけデクリメントし（ステップＳ６５）
、該設定値ｎが「０（零）」であるか否かを判定する（ステップＳ６６）。この判定結果
が否定判定（ｎ≠「０」）である場合、制御部７１は、上記ステップＳ６１と同様の処理
を実行し（ステップＳ６７）、閾値設定処理ルーチンを終了する。一方、ステップＳ６６
の判定結果が肯定判定（ｎ＝「０」）である場合、制御部７１は、フラッシング閾値ＫＴ
ｆを所定値ＫＴｓに設定し（ステップＳ６８）、閾値設定処理ルーチンを終了する。
【００４８】
次に、本実施形態の記録装置１１のフラッシング制御方法について図１０に基づき以下
説明する。なお、スキャナ部１５が原稿２１をスキャンすることにより取得される記録情
報を複数枚の記録用紙Ｐに連続して簡易記録するものとする。また、１ページ目の記録用
紙Ｐへの記録情報の記録の完了時に検出される記録時間Ｔｗは、所定値ＫＴｓ（７０秒）
よりも短いものとする。
【００４９】
さて、原稿台１５ａに原稿２１がセットされた状態で操作パネル１７が操作されると、
スキャナ部１５による原稿２１のスキャンが開始されると共に、自動給紙機構１６の駆動
によってプリンタ部１４内に１枚の記録用紙Ｐが給紙される。なお、本実施形態では、自
動給紙機構１６による記録用紙Ｐのプリンタ部１４内への給紙が開始されると共にＣＲ用
タイマ７４による記録時間Ｔｗの計測が開始される。
【００５０】
また、制御回路７０内では、スキャナ部１５による原稿２１のスキャンによって取得し
た記録情報の各種変換処理が随時実行される。そして、各種変換処理の結果、２パス分の
ラスタデータが生成されると、該ラスタデータがヘッド用制御部７２に転送されることに
より記録用紙Ｐへの記録情報の記録がプリンタ部１４によって開始される。その後、ヘッ
ド用制御部７２に転送されたラスタデータ分の記録用紙Ｐへの記録が完了すると、キャリ
ッジ３５の移動が一時停止される結果、プリンタ部１４による記録用紙Ｐへの記録が一時
停止される。
【００５１】
このようにプリンタ部１４による記録用紙Ｐへの記録情報の記録中であっても、スキャ
ナ部１５による原稿２１のスキャン及び該スキャンにより取得した記録情報の各種変換処
理は、それぞれ継続される。そして、次の２パス分のラスタデータが生成されると、該ラ
スタデータがヘッド用制御部７２に転送されることによりプリンタ部１４による記録用紙
Ｐへの記録が再開される。この際、プリンタ部１４のキャリッジ３５の移動中においては
、ＣＲ用タイマ７４による記録時間Ｔｗの計測が実行される一方で、キャリッジ３５が停
止している場合には、ＣＲ用タイマ７４による記録時間Ｔｗの計測が中断される。
【００５２】
そして、スキャナ部１５による原稿２１のスキャンが完了すると共に、プリンタ部１４
による１ページ目の記録用紙Ｐへの記録情報の記録が完了すると、ＣＲ用タイマ７４によ
る記録時間Ｔｗの計測が終了する。また、排紙機構３３の駆動により記録済みとなった記
録用紙Ｐの排紙部１８への排紙が開始されると共に、ＰＦ用タイマ７６によるブランク時
間Ｔｂの計測が開始される。さらに、１ページ目の記録用紙Ｐへの記録情報の記録が完了
してから該記録用紙Ｐの排紙が完了するまでの間においては、図１０に示すように、フラ
ッシングが実行される。
【００５３】
その後、記録済みとなった１ページ目の記録用紙Ｐの排紙が完了すると、ＰＦ用タイマ
７６によるブランク時間Ｔｂの計測が終了する。すると、フラッシング閾値ＫＴｆが所定
値ＫＴｓよりも大きな値にならないように設定値ｎの値が設定されると共に、該設定値ｎ
、記録時間Ｔｗ及びブランク時間Ｔｂとに応じたフラッシング閾値ＫＴｆが演算により設
定される。そして、自動給紙機構１６により２ページ目の記録用紙Ｐの給紙が開始される
と、フラッシング用タイマ７７による経過時間Ｔｆの計測が開始される。
【００５４】
そして、２ページ目、３ページ目というように連続して記録用紙Ｐへの記録情報の記録
がプリンタ部１４によって実行される。やがてｍページ目（ｍ＝ｎ＋１）の記録用紙Ｐへ
の記録情報の記録が完了すると、１ページ目の記録用紙Ｐへの記録情報の記録の完了後に
実行されたフラッシングからの経過時間Ｔｆは、次のページ（即ち、（ｍ＋１）ページ目
）の記録用紙Ｐへの記録情報の記録が開始される前までにフラッシング閾値ＫＴｆ以上に
なる。そのため、（ｍ＋１）ページ目の記録用紙Ｐへの記録情報の記録が開始される前ま
でにフラッシングが実行される。このようにフラッシングは、ｍページ目の記録用紙Ｐへ
の記録情報の記録が完了してから（ｍ＋１）ページ目の記録用紙Ｐへの記録情報の記録が
開始される前までに実行されるため、１ページの記録用紙Ｐへの記録情報の記録の最中に
フラッシングが実行されることが回避される。
【００５５】
したがって、本実施形態では、以下に示す効果を得ることができる。
（１）同一の記録情報を記録用紙Ｐに連続して記録する場合において、フラッシング閾
値ＫＴｆは、１ページの記録用紙Ｐへの記録情報の記録が完了して次のページの記録用紙
Ｐへの記録情報の記録が開始されるまでの間にフラッシングが実行されるように設定され
る。そのため、１ページの記録用紙Ｐへの記録情報の記録中にフラッシングが実行される
ことが抑制される。したがって、記録ヘッド４０からインク噴射することにより記録され
た１ページの記録用紙Ｐ上におけるインクの色目の変化を抑制できる。
【００５６】
（２）フラッシング閾値ＫＴｆは、１ページの記録用紙Ｐへの記録情報の記録に要した
記録時間Ｔｗに応じた値に設定される。そのため、１ページの記録用紙Ｐへの記録情報の
記録が完了してから次の記録用紙Ｐへの記録が開始されるまでの間にフラッシングを実行
させることができる。
【００５７】
（３）１ページ目の記録用紙Ｐへの記録情報の記録が完了した場合には、２ページ目の
記録用紙Ｐへの記録が開始される前にフラッシングが実行されると共に、フラッシング閾
値ＫＴｆが設定される。そして、その後は、フラッシング閾値ＫＴｆ毎にフラッシングが
実行される。そのため、１ページの記録用紙Ｐへの記録情報の記録中にフラッシングが実
行されることを回避できる。
【００５８】
（４）記録時間Ｔｗの計測を行っている１ページ目の記録用紙Ｐへの記録情報の記録中
には、フラッシングの実行が回避される。そのため、２ページ目以降の記録用紙Ｐへの記
録情報の記録に比して記録速度が遅い１ページ目の記録用紙Ｐへの記録中にフラッシング
が実行されることを回避できる。そのため、１ページ目の記録用紙Ｐにおいて、該記録用
紙Ｐ上に噴射されたインクの色目が変化してしまうことを抑制できる。また、１ページ目
の記録用紙Ｐへの記録情報の記録が完了した場合には、２ページ目の記録用紙Ｐへの記録
用紙Ｐへの記録が開始される前にフラッシングが強制的に実行される。そのため、たとえ
ば２ページ目の記録用紙Ｐへの記録情報の記録の途中に、フラッシングの未実行に起因し
たインクの噴射不良が発生してしまうことを抑制できる。
【００５９】
（５）原稿２１をスキャンしつつ記録用紙Ｐへの記録を実行する場合には、原稿２１の
スキャンによって取得した記録情報の各種変換処理などに時間がかかるため、１ページ目
の記録用紙Ｐへの記録情報の記録は、２ページ目以降の記録用紙Ｐの記録に比して時間が
かかってしまう。そこで、本実施形態では、１ページ目の記録用紙Ｐの記録中においてキ
ャリッジ３５が移動している間の時間の総計を、１ページ目の記録用紙Ｐへの記録情報の
記録に要した記録時間Ｔｗとしている。この記録時間Ｔｗは、原稿２１のスキャンや記録
情報の各種変換処理を実行しないで記録用紙Ｐへの記録情報の記録が実行される２ページ
目以降の記録時間と推定する。したがって、ｍページ目の記録用紙Ｐへの記録情報の記録
が完了してから（ｍ＋１）ページ目の記録用紙Ｐへの記録情報の記録が開始するまでの間
にフラッシングが実行されるようにフラッシング閾値ＫＴｆを適切に設定できる。
【００６０】
（６）記録用紙Ｐへの記録情報の記録が縁なし記録であった場合には、１ページの記録
用紙Ｐへの記録情報の縁なし記録にかかる時間は一定であるため、１ページの記録用紙Ｐ
への記録情報の記録に要する記録時間Ｔｗを計測することなくフラッシング閾値ＫＴｆを
設定できる。そのため、縁なし記録であるか否かに関係なく記録時間Ｔｗを計測して該記
録時間Ｔｗに応じたフラッシング閾値ＫＴｆを設定する場合に比して、制御回路７０の制
御負荷の増大を抑制できる。
【００６１】
（７）また、縁なし記録が実行される場合には、該縁なし記録が実行される記録用紙Ｐ
のサイズに応じた規定値（記録用紙Ｐが「Ａ３」である場合には第３規定値ＫＴＡ３）が
フラッシング閾値ＫＴｆに設定される。したがって、縁なし記録が実行される場合には、
縁なし記録が実行される記録用紙Ｐのサイズに応じた適切なフラッシング閾値ＫＴｆを設
定できる。
【００６２】
（８）本実施形態において、フラッシング閾値ＫＴｆは、１ページの記録用紙Ｐへの記
録が完了して次の記録用紙Ｐへの記録が開始されるまでの間にフラッシングを実行させる
ことが可能であると共に所定値ＫＴｓよりも小さい値のうち最も所定値ＫＴｓに近い値に
設定される。そのため、同一の記録情報を記録用紙Ｐに連続して記録する場合において、
フラッシングの実行回数の増加を抑制できる。
【００６３】
（９）一般に、１ページの記録用紙Ｐへの記録が完了して次の記録用紙Ｐへの記録が開
始されるまでの間にフラッシングを実行する場合には、記録済みとなった記録用紙Ｐを排
紙させるべくＰＦ用制御部７５に出力された制御コマンド（排紙コマンド）の検出に基づ
きフラッシングが実行される。しかし、本実施形態のように簡易記録の場合には、排紙コ
マンドが出力される毎にフラッシングを実行したのであれば、フラッシングの実行過多に
より記録速度が遅くなってしまうことがある。その点、本実施形態では、フラッシング閾
値ＫＴｆは、所定値ＫＴｓに近い値に設定されるため、フラッシングの実行過多を抑制で
きると共に、記録速度の低下を抑制できる。
【００６４】
（１０）また、排紙コマンドの出力回数が予め設定された出力回数閾値以上になった場
合にフラッシングを実行させるようにすることにより、フラッシングの実行過多を抑制す
る方法もある。しかしながら、記録用紙Ｐへの記録にかかる記録時間Ｔｗは、記録情報の
大きさによって異なる。そのため、記録用紙Ｐに記録すべき記録情報の大きさによっては
、フラッシングの実行間隔が所定値を超えてしまいフラッシングの未実行により記録ヘッ
ド４０によるインクの噴射不良が発生することがある。一方、記録用紙Ｐに記録すべき記
録情報が小さい場合には、１ページの記録用紙Ｐへの記録情報の記録に要する記録時間が
短いため、フラッシングの実行間隔が短くなって、やはりフラッシングの実行過多に陥る
おそれがある。この点、本実施形態では、フラッシング閾値ＫＴｆは、記録情報の大きさ
に関係なく所定値ＫＴｓ以下であって所定値ＫＴｓに極力近い値に設定される。したがっ
て、フラッシングの未実行に起因した記録ヘッド４０によるインクの噴射不良の発生を抑
制できると共に、フラッシングの実行過多に基づく記録速度の低下を抑制できる。
【００６５】
（１１）本実施形態では、記録済みとなった記録用紙Ｐの排紙処理の実行中（即ち、排
紙コマンドの出力後）において経過時間Ｔｆがフラッシング閾値ＫＴｆ以上になった場合
に、フラッシングが実行される。そのため、１ページの記録用紙Ｐへの記録情報の記録中
にフラッシングが実行されることを回避できる。
【００６６】
（第２の実施形態）
次に、本発明の第２の実施形態を図１１に従って説明する。なお、第２の実施形態は、
１ページ目の記録用紙Ｐの記録中における記録時間Ｔｗの検出方法が第１の実施形態と異
なっている。したがって、以下の説明においては、第１の実施形態と相違する部分につい
て主に説明するものとし、第１の実施形態と同一又は相当する部材構成には同一符号を付
して重複説明を省略するものとする。
【００６７】
記録用紙Ｐに記録情報を記録する場合、制御部７１からの制御コマンドに基づきＣＲ用
制御部７３は、以下に説明するようにキャリッジ３５の移動を制御する。すなわち、制御
回路７０には、図示しないＣＲ用メモリが設けられており、該ＣＲ用メモリには、キャリ
ッジ３５の移動速度（即ち、ＣＲモータ３６の回転速度）を制御するための速度テーブル
（加速させるための加速テーブル、減速させるための減速テーブル等）などが記憶されて
いる。
【００６８】
加速テーブルには、キャリッジ３５の加速が開始した位置からの移動距離と、該移動距
離でのキャリッジ３５の移動速度（具体的には、リニアエンコーダ３９から検出されるべ
き信号の周波数）とが互いに対応付けられている。例えば、キャリッジ３５の加速が開始
した位置からの移動距離が第１の移動距離である場合におけるキャリッジ３５の移動速度
が第１の加速度とされ、移動距離が第２の移動距離（＞第１の移動距離）である場合にお
けるキャリッジ３５の移動速度が第２の加速度（＞第１の加速度）とされる。
【００６９】
また、減速テーブルには、定速で移動していたキャリッジ３５が減速を開始した位置か
らの移動距離と、該移動距離でのキャリッジ３５の移動速度（具体的には、リニアエンコ
ーダ３９から検出されるべき信号の周波数）とが互いに対応付けられている。例えば、キ
ャリッジ３５の減速が開始した位置からの移動距離が第１の移動距離である場合における
キャリッジ３５の移動速度が第１の減速度とされ、移動距離が第２の移動距離（＞第１の
移動距離）である場合におけるキャリッジ３５の移動速度は第２の減速度（＜第１の減速
度）とされる。
【００７０】
そして、本実施形態では、ＣＲ用制御部７３は、制御部７１からの制御コマンドに基づ
きキャリッジ３５の移動を制御する場合、上記の各種テーブルを使用してＣＲモータ３６
の回転を制御する。また、ＣＲ用制御部７３は、１ページの記録用紙Ｐへの記録情報の記
録に要する記録時間Ｔｗ（即ち、キャリッジ３５が移動していた総時間）を、各種テーブ
ルを使用して検出する。
【００７１】
すなわち、図１１に示すように、記録用紙Ｐに記録ヘッド４０からインク噴射する場合
、キャリッジ３５は、加速テーブルに基づいたＣＲ用制御部７３のＣＲモータ３６の回転
制御によって加速し、移動速度が定速（一定速度）になる。この際、ＣＲ用制御部７３は
、キャリッジ３５を定速まで加速させるのに要した移動距離をリニアエンコーダ３９から
の入力信号に基づき検出し、該検出結果と加速テーブルとからキャリッジ３５が定速にな
るまでに要した加速時間を検出する。
【００７２】
そして、キャリッジ３５の移動が定速になった場合には、ヘッド用制御部７２による記
録ヘッド４０の制御により該記録ヘッド４０からインクが記録用紙Ｐに噴射される。その
パスにおいて記録ヘッド４０による記録用紙Ｐへのインク噴射が完了した場合、キャリッ
ジ３５は、減速テーブルに基づいたＣＲ用制御部７３によるＣＲモータ３６の回転制御に
よって減速を開始する。この際、ＣＲ用制御部７３は、キャリッジ３５が定速で移動して
いた移動距離をリニアエンコーダ３９からの入力信号に基づき検出し、該検出結果と定速
時のキャリッジ３５の速度（既知の速度）とに基づきキャリッジ３５が定速で移動してい
た間の定速時間を検出する。
【００７３】
また、キャリッジ３５の移動が停止した場合、ＣＲ用制御部７３は、キャリッジ３５の
移動を停止させるのに要した移動距離をリニアエンコーダ３９からの入力信号に基づき検
出し、該検出結果と減速テーブルとから定速で移動していたキャリッジ３５が停止するま
でに要した減速時間を検出する。そして、ＣＲ用制御部７３は、検出した加速時間、定速
時間及び減速時間を加算することにより、今回のパスにおいてキャリッジ３５が移動して
いた時間（以下「パス時間」という。）を検出する。このように各パスにおいてパス時間
をそれぞれ検出し、全てのパス時間を加算することにより、ＣＲ用制御部７３は、１ペー
ジの記録用紙Ｐへの記録情報の記録に要した記録時間Ｔｗを検出する。したがって、本実
施形態では、ＣＲ用制御部７３が、記録時間検出手段として機能する。
【００７４】
したがって、本実施形態では、さらに以下に示す効果を得ることができる。
（１２）本実施形態では、記録時間Ｔｗは、キャリッジ３５の移動を制御する際に使用
される加速テーブル及び減速テーブルに基づき検出されるものであるため、キャリッジ３
５の移動を制御するついでに検出される。したがって、ＣＲ用タイマ７４を用いない分だ
け、制御回路７０の制御負荷の増大を抑制できる。
【００７５】
なお、上記各実施形態は以下のような別の実施形態に変更してもよい。
・各実施形態において、記録用紙Ｐへの記録が縁なし記録の場合であっても、１ページ
目の記録用紙Ｐへの記録情報の縁なし記録時における記録時間Ｔｗを検出し、該記録時間
Ｔｗに応じたフラッシング閾値ＫＴｆを設定するようにしてもよい。
【００７６】
・各実施形態において、１ページ目の記録用紙Ｐへの記録情報の記録が完了してから２
ページ目の記録用紙Ｐへの記録情報の記録が開始されるまでの間にフラッシングを実行し
なくてもよい。この場合、フラッシング閾値ＫＴｆを、１ページ目から数えてｎページ目
の記録用紙Ｐへの記録情報の記録が完了した後にフラッシングが実行されるように設定し
、このフラッシングの終了後においてｎページ毎にフラッシングが定期的に実行されるよ
うにフラッシング閾値ＫＴｆを再設定することが望ましい。
【００７７】
・各実施形態において、２ページ目の記録用紙Ｐへの記録情報の記録中に記録時間Ｔｗ
を検出するようにしてもよい。２ページ目の記録用紙Ｐへの記録中では、原稿２１のスキ
ャンや該スキャンにて取得した記録情報の各種変換処理が実行されないため、単純に２ペ
ージ目の記録用紙Ｐの給紙が開始されてから該記録用紙Ｐの排紙が開始されるまでの時間
を計測することにより記録時間Ｔｗを検出できる。
【００７８】
・各実施形態のスキャン簡易記録処理ルーチンにおいて、経過時間Ｔｆがフラッシング
閾値ＫＴｆ以上になったか否かの判定処理（ステップＳ２８）を実行しなくてもよい。こ
の場合、スキャン簡易記録処理ルーチンと同時に処理される処理ルーチンにおいて、経過
時間Ｔｆがフラッシング閾値ＫＴｆ以上になったか否かの判定処理を行い、この判定結果
が肯定判定（Ｔｆ≧ＫＴｆ）以上になったときには、強制的にフラッシングを実行させる
ことが望ましい。このように構成しても、フラッシング閾値ＫＴｆは、１ページの記録用
紙Ｐへの記録情報の記録に要した記録時間Ｔｗに応じた値に設定されているため、１ペー
ジの記録用紙Ｐへの記録情報の記録中にフラッシングが実行されることを回避できる。ま
た、記録済みとなった記録用紙Ｐをプリンタ部１４から排紙させるための制御コマンド（
排紙コマンド）が出力されたか否かを確認する必要がない分、制御回路７０の制御負荷を
低減できる。
【００７９】
・各実施形態において、１ページ目の記録用紙Ｐへの記録情報の記録が開始されてから
経過時間Ｔｆの計測を開始し、該経過時間Ｔｆが所定値ＫＴｓ以上になった場合には、１
ページ目の記録用紙Ｐへの記録情報の記録中であってもフラッシングを強制的に実行して
もよい。このように構成すると、１ページ目の記録用紙Ｐへの記録情報の記録中にフラッ
シングの未実行に起因したインクの噴射不良が発生することを抑制できる。
【００８０】
・各実施形態において、スロット２０内に挿入されたメモリカード１９に記憶されてい
る記録情報を記録用紙Ｐに記録する場合に具体化してもよい。この場合、１ページ目の記
録用紙Ｐへの記録情報の記録時には、メモリカード１９に記憶されている記録情報の各種
変換処理と該変換処理によって生成されたラスタデータに基づく記録用紙Ｐへの記録処理
とが実行されることになる。
【００８１】
・各実施形態において、プリンタ部１４を、インクカートリッジ４１をキャリッジ３５
とは別の位置に配置するいわゆるオフキャリタイプのプリンタ部に具体化してもよい。
・各実施形態において、プリンタ部１４を、記録用紙Ｐの搬送方向（前後方向）と交差
する方向において記録ヘッド４０が記録用紙Ｐの幅方向（左右方向）の長さに対応した全
体形状をなす、いわゆるフルラインタイプのプリンタ部に具体化してもよい。この構成に
おいて、スキャナ部１５による原稿２１のスキャンによって取得した記録情報の各種変換
処理の実行時によって所定数のパス分のラスタデータが生成されるまでの間、記録用紙Ｐ
の紙送りを停止させる構成であった場合には、１ページの記録用紙Ｐの紙送りが実行され
ている時間の総計を検出し、該検出結果を記録時間Ｔｗにすることが望ましい。
【００８２】
また、１ページ目の記録用紙Ｐへの記録中に紙送りを一時停止させるのではなく、紙送
り速度を通常よりも遅くするようにした場合には、単純に１ページ目の記録用紙Ｐの紙送
りに要した時間を計測する。そして、この時間に予め設定された係数を乗算することによ
り記録時間Ｔｗを検出することが望ましい。なお、紙送りの通常の速度とは、１ページ目
の記録用紙Ｐの紙送り速度に対して上記係数を乗算した値に応じた速度である。
【００８３】
・各実施形態において、記録用紙Ｐ以外の他の記録媒体（例えばコンパクトディスクの
表面）に記録情報を記録する場合に具体化してもよい。
・各実施形態では、流体噴射装置をインクジェット式記録装置１１に具体化したが、こ
の限りではなく、インク以外の他の流体（液体や、機能材料の粒子が液体に分散又は混合
されてなる液状体、ゲルのような流状体を含む）を噴射したり吐出したりする流体噴射装
置に具体化することもできる。例えば、液晶ディスプレイ、ＥＬ（エレクトロルミネッセ
ンス）ディスプレイ及び面発光ディスプレイの製造などに用いられる電極材や色材（画素
材料）などの材料を分散または溶解のかたちで含む液状体を噴射する液状体噴射装置、バ
イオチップ製造に用いられる生体有機物を噴射する液体噴射装置、精密ピペットとして用
いられ試料となる液体を噴射する液体噴射装置であってもよい。さらに、時計やカメラ等
の精密機械にピンポイントで潤滑油を噴射する液体噴射装置、光通信素子等に用いられる
微小半球レンズ（光学レンズ）などを形成するために紫外線硬化樹脂等の透明樹脂液を基
板上に噴射する液体噴射装置、基板などをエッチングするために酸又はアルカリ等のエッ
チング液を噴射する液体噴射装置、ゲル（例えば物理ゲル）などの流状体を噴射する流状
体噴射装置であってもよい。そして、これらのうちいずれか一種の流体噴射装置に本発明
を適用することができる。なお、本明細書において「流体」とは、気体のみからなる流体
及びトナーなどの粉体（粉粒体）からなる流体を含まない概念であり、流体には、例えば
液体（無機溶剤、有機溶剤、溶液、液状樹脂、液状金属（金属融液）等を含む）、液状体
、流状体などが含まれる。
【図面の簡単な説明】
【００８４】
【図１】インクジェット式記録装置の概略斜視図。
【図２】プリンタ部の概略斜視図。
【図３】電気的構成を示すブロック回路図。
【図４】記録用紙のサイズと規定値との関係を示すテーブル。
【図５】スキャン簡易記録処理ルーチンを説明するフローチャート（前半部分）。
【図６】スキャン簡易記録処理ルーチンを説明するフローチャート（中盤部分）。
【図７】スキャン簡易記録処理ルーチンを説明するフローチャート（後半部分）。
【図８】記録時間計測処理ルーチンを説明するフローチャート。
【図９】閾値設定処理ルーチンを説明するフローチャート。
【図１０】フラッシングを実行するタイミングを示す模式図。
【図１１】記録用紙への記録時におけるキャリッジの移動速度の変化を示す模式図。
【符号の説明】
【００８５】
１１…流体噴射装置としてのインクジェット式記録装置、１５…取得手段としてのスキ
ャナ部、３５…流体噴射手段としてのキャリッジ、４０…流体噴射手段としての記録ヘッ
ド、７１…制御手段、閾値設定手段、縁なし検出手段としての制御部、７３…記録時間検
出手段としてのＣＲ用制御部、７４…記録時間検出手段としてのＣＲ用タイマ、７７…経
過時間計測手段としてのフラッシング用タイマ、７８…設定値記憶手段としてのフラッシ
ング用メモリ、８０…情報記憶手段としてのスキャナ用メモリ、ＫＴＡ１，ＫＴＡ２，Ｋ
ＴＡ３，ＫＴＡ４，ＫＴＰＣ…規定値、ＫＴｆ…フラッシング閾値、ＫＴｓ…所定値、Ｐ
…記録媒体としての記録用紙、Ｔｆ…経過時間、Ｔｗ…記録時間。
【図１】
0005029181.tif 000002
【図２】
0005029181.tif 000003
【図３】
0005029181.tif 000004
【図４】
0005029181.tif 000005
【図５】
0005029181.tif 000006
【図６】
0005029181.tif 000007
【図７】
0005029181.tif 000008
【図８】
0005029181.tif 000009
【図９】
0005029181.tif 000010
【図１０】
0005029181.tif 000011
【図１１】
0005029181.tif 000012